(57)【特許請求の範囲】
【請求項１】
枠状に形成され、光源からの光を反射する反射部と、この反射部の中央部に形成され、光源からの光を画像表示部の有効表示領域に導く開口部と、前記反射部の側端部に形成され、液晶表示装置のケース本体の内側面と当接して湾曲する可撓性突起部とを備えていることを特徴とする液晶表示装置の反射部材。
【請求項２】
請求項１に記載の液晶表示装置の反射部材において、
前記可撓性突起部は、前記ケース本体に対して少なくとも３点支持状態が得られるように、少なくとも３個所に形成されていることを特徴とする液晶表示装置の反射部材。
【請求項３】
請求項２に記載の液晶表示装置の反射部材において、
前記可撓性突起部のうち、少なくとも一対の可撓性突起部は、対称の位置関係を有していることを特徴とする液晶表示装置の反射部材。
【請求項４】
請求項１〜３のいずれかに記載の液晶表示装置の反射部材において、
四角形状の反射部を備え、前記反射部の各辺にそれぞれ２個可撓性突起部が形成され、各可撓性突起部は、それぞれ対称の位置に対となる突起部を有していることを特徴とする液晶表示装置の反射部材。
【請求項５】
見切りによって画像表示部の有効表示領域が形成された液晶パネルと、前記反射部材を介して前記液晶パネルの画像表示部に光を照射する光源と、前記可撓性突起部がケース本体の内側面と湾曲して当接するように、液晶パネルと光源との間に配置された請求項１〜４のいずれかに記載の反射部材と、前記液晶パネルと光源を収納するケース本体とを備えていることを特徴とする液晶表示装置。
【請求項６】
請求項５に記載の液晶表示装置と、この液晶表示装置を収納する筐体とを備えていることを特徴とする電子機器。
【発明の詳細な説明】
【０００１】
【発明の属する技術分野】
本発明は、光源からの光を液晶パネルに形成された有効表示領域に導く反射部材、この反射部材を備えた液晶表示装置及びこの液晶表示装置を備えた電子機器に関する。
【０００２】
【背景技術】
図６，７に示すように、液晶表示装置１１内の液晶パネル１４は、ケース本体１３内に収納され、一対の基板１６，１７と、両基板１６，１７間にシール材１８を介して封入された液晶１９と、両基板１６，１７の外面に設けられた偏光板２１，２２とを備えて構成されている。
【０００３】
前記下側基板１７には、遮光部材のパターニングによって形成された「見切り」２３と称される遮光領域が形成され、この見切り２３の内側が画像表示部の有効表示領域３９となっている。
【０００４】
そして、この液晶表示装置１１において、液晶パネル１４のシール材１８の内側寸法は、ケース本体１３の開口部３１の寸法より大きく、またケース本体１３の開口部３１の寸法は、見切り２３の外周の寸法より大きくなっている。
【０００５】
従って、このまま液晶パネル１４をケース本体１３内に収納した場合には、見切り２３によって遮られる光３３がある反面、シール材と見切りとの隙間を通って漏れる光３３Ａもある。このような光漏れは、観察者にとっては不快なものである。
【０００６】
この光漏れを防止するため、従来、反射部材を液晶パネルと光源との間に配置している。この反射部材は、枠状に形成され、光源からの光を反射する反射部と、この反射部の中央部に形成され、光源からの光を画像表示部の有効表示領域に導く開口部とを有するものである。
【０００７】
【発明が解決しようとする課題】
前記反射部材を液晶パネルと光源との間に配置する際、画像表示面積を損なわないように、また確実に光漏れを防止するため、精度良く配置する必要がある。
【０００８】
しかし、反射部材の外周寸法をケース本体の内周寸法ぎりぎりに設定した場合には、挿入が困難になったり、反射部材の変形が大きくなって光が漏れるという問題が発生する。
【０００９】
一方、反射部材の外周寸法をケース本体の内周寸法より小さめに設定してケース本体等に対して接着剤で固定すれば精度良くセットできるが、接着剤の塗布や精度の高い位置合わせが必要となって、作業が煩雑になる。
【００１０】
そこで、本発明は、正確な配置を容易に行うことができ、作業性を高めることができる液晶表示装置の反射部材、及びこの反射部材を含む液晶表示装置と電子機器を提供することを目的とする。
【００１１】
【課題を解決するための手段】
本発明の第１発明に係る液晶表示装置の反射部材は、枠状に形成され、光源からの光を反射する反射部と、この反射部の中央部に形成され、光源からの光を画像表示部の有効表示領域に導く開口部と、前記反射部の側端部に形成され、液晶表示装置のケース本体の内側面と当接して湾曲する可撓性突起部とを備えていることを特徴とする。
【００１２】
前記可撓性突起部は、反射部と一体に可撓性プラスチック材料で成形することにより可撓性を持たすことができる。プラスチック材料としては、ポリエチレンテレフタレート（ＰＥＴ）等を使用できる。
【００１３】
前記可撓性突起部の形状は、半円形状、等任意である。
【００１４】
前記反射部材の光源側の面には、金属反射面を形成しておいてもよい。
【００１５】
前記反射部自体の寸法は、ケース本体の内周寸法より小さく、可撓性突起部の先端部を含む反射部材の寸法はケース本体の内周寸法より大きくなっている。これにより、可撓性突起部がケース本体の内側面と当接した際に可撓性突起部の少なくとも一部が湾曲する。
【００１６】
本発明によれば、前記可撓性突起部を介してケース本体の内側面に対する反射部材の位置決めがなされるため、配置のための位置合わせが不要になって作業性を向上させることができる。
【００１７】
また、反射部材が前記可撓性突起部を介してケース本体の内側面に支持されるため、固定のための接着作業が不要になる。
【００１８】
本発明の第２発明に係る液晶表示装置の反射部材は、第１発明において、前記可撓性突起部は、前記ケース本体に対して少なくとも３点支持状態が得られるように、少なくとも３個所に形成されていることを特徴とする。
【００１９】
前記可撓性突起部が少なくとも３個所に形成されて、前記ケース本体に対して少なくとも３点支持の状態が得られるようになっていれば、所定の位置決めがなされる。
【００２０】
本発明の第３発明に係る液晶表示装置の反射部材は、第２発明において、前記可撓性突起部のうち、少なくとも一対の可撓性突起部は、対称の位置関係を有していることを特徴とする。
【００２１】
前記対称の位置関係は、開口部の中心又は中心線を軸として対称配置となっていればよい。
【００２２】
前記一対の可撓性突起部が、対称の位置関係となっていれば、両可撓性突起部の湾曲の程度を同じにすることにより反射部材を偏らないで配置することができる。
【００２３】
本発明の第４発明に係る液晶表示装置の反射部材は、第１〜第３発明のいずれかにおいて、四角形状の反射部を備え、前記反射部の各辺にそれぞれ２個可撓性突起部が形成され、各可撓性突起部は、それぞれ対称の位置に対となる突起部を有していることを特徴とする。
【００２４】
四角形状の反射部の四辺にそれぞれ２個の可撓性突起部を形成し、各可撓性突起部は、それぞれ対称の位置に対となる突起部を有するようにしておくことにより、少ない突起部の数で反射部材の確実な位置決め状態と支持状態が得られるようになる。
【００２５】
本発明の第５発明に係る液晶表示装置は、見切りによって画像表示部の有効表示領域が形成された液晶パネルと、前記反射部材を介して前記液晶パネルの画像表示部に光を照射する光源と、前記可撓性突起部がケース本体の内側面と湾曲して当接するように、液晶パネルと光源との間に配置された第１〜第４発明のいずれかの反射部材と、前記液晶パネルと光源を収納するケース本体とを備えていることを特徴とする。
【００２６】
本発明によれば、反射部材の所定位置への正確な配置が容易になるため、液晶表示装置の製造作業が容易になる。
【００２７】
本発明の第６発明に係る電子機器は、第５発明の液晶表示装置と、この液晶表示装置を収納する筐体とを備えていることを特徴とする。
【００２８】
前記電子機器の具体例は、例えば携帯電話、ノートパソコン、等である。
【００２９】
本発明によれば、光漏れのない電子機器が得られる。
【００３０】
【発明の実施の形態】
図１〜５を参照して本発明の一実施形態に係る液晶表示装置１１の反射部材１２、液晶表示装置１１及び電子機器を説明する。
【００３１】
図１〜３に示すように、本実施例の液晶表示装置１１の反射部材１２は、ケース本体１３内の液晶パネル１４と光源となるバックライト１５との間に配置されている。
【００３２】
前記液晶パネル１４は、上ガラス基板１６と下ガラス基板１７よりなる一対の基板と、両基板１６，１７間にシール材１８を介して封入された液晶１９と、上ガラス基板１６に設けられた上偏光板２１と、下ガラス基板１７に設けられた下偏光板２２とを備えて構成されている。
【００３３】
また、下ガラス基板１７には、遮光部材よりなる見切り２３が形成されている。
【００３４】
前記バックライト１５は、蛍光管２４と、間接光を生成するリフレクタ２５と、導光板２６と、導光板２６の上面側に設けられた拡散板２７と、導光板２６の下面側に設けられた反射板２８とを備えている。
【００３５】
図１に示すように、前記反射部材１２は、反射部２９と、この反射部２９の中央部に形成された開口部３１と、反射部２９の側端部に形成された可撓性突起部３２とを備えている。
【００３６】
この反射部材１２は、前記拡散板２７上に載置されている。
【００３７】
前記反射部２９は、四角形の枠状に形成され、光源からの光３３を反射するものである。
【００３８】
前記開口部は、四角形状に形成され、バックライト１５からの光３３を画像表示部の有効表示領域３９に導くものである。
【００３９】
この可撓性突起部３２は、半円形状を有し、反射部２９の各辺の同じ位置にそれぞれ２個形成されている。これにより各可撓性突起部３２は、中心線に対して対称の位置に対となって配置されている。
【００４０】
前記反射部２９自体の寸法は、ケース本体１３の内周寸法より小さく、可撓性突起部３２の先端部を含む反射部材１２の寸法はケース本体１３の内周寸法より大きくなっている。
【００４１】
前記可撓性突起部３２は、反射部２９と一体にＰＥＴ等の可撓性プラスチック材料で成形されている。
【００４２】
この反射部２９自体の下面側には、金属反射面を形成しておいてもよい。
【００４３】
なお、液晶パネル１４やバックライト１５を駆動させるための回路系については、説明と図示を省略する。
【００４４】
図２に示すように、本液晶表示装置１１において、バックライト１５の上面から出た光３３の大部分は、反射部材１２の開口部３１を通って液晶パネル１４に供給されるが、その一部の光３３Ａは、反射部材１２によって反射され、さらに導光板２６中で拡散されて液晶パネル１４に供給されることになる。
【００４５】
本実施形態の液晶表示装置１１を製造する際、従来とほぼ同様にして行うことができるが、反射部材１２をケース本体１３内に挿入してバックライト１５上の所定位置に配置する際、可撓性突起部３２を湾曲させながら挿入し、ケース本体１３の内側面に対して対となっている両可撓性突起部３２の湾曲の程度が同じとなるようにして配置すればよい。
【００４６】
図４に示すように、本実施形態に係る電子機器は、前記液晶表示装置１１と、この液晶表示装置１１を収納する筐体３４とを備えた携帯電話３５である。
【００４７】
また、図５に示すように、本実施形態に係る電子機器は、前記液晶表示装置１１と、この液晶表示装置１１を収納する筐体３６とを備えたノートパソコン３７であってもよい。
【００４８】
本実施形態に係る液晶表示装置１１の反射部材１２によれば、可撓性突起部３２を介してケース本体１３の内側面に対する反射部材１２の位置決めがなされるため、配置のための位置合わせが不要になって作業性を向上させることができる。
【００４９】
また、反射部材１２が前記可撓性突起部３２を介してケース本体１３の内側面に安定して支持されるため、固定のための接着作業が不要になる。
【００５０】
更に、四角形状の反射部２９の四辺にそれぞれ２個の可撓性突起部３２が形成され、各可撓性突起部３２は、それぞれ対称の位置に対となる突起部３２を有しているため、少ない突起部３２の数で反射部材１２の確実な位置決め状態と支持状態が得られる。
【００５１】
本実施形態に係る液晶表示装置１１によれば、反射部材１２の所定位置への正確な配置が容易になるため、液晶表示装置１１の製造作業が容易になる。
【００５２】
本実施形態に係る電子機器によれば、光漏れのない携帯電話３５、ノートパソコン３７、等が得られる。
【００５３】
【発明の効果】
本発明によれば、正確な配置を容易に行うことができ、作業性を高めることができる液晶表示装置の反射部材、及びこの反射部材を含む液晶表示装置と電子機器が得られる。
【図面の簡単な説明】
【図１】本発明の一実施形態に係る液晶表示装置の反射部材を示す斜視図である。
【図２】同実施形態に係る液晶表示装置を示す断面図である。
【図３】同実施形態に係る液晶表示装置を示す断面図である。
【図４】同実施形態に係る携帯電話を示す斜視図である。
【図５】同実施形態に係る他のノートパソコンを示す斜視図である。
【図６】従来例に係る液晶表示装置を示す要部断面図である。
【図７】従来例に係る液晶表示装置の基板を示す平面図である。
【符号の説明】
１１  液晶表示装置
１２  反射部材
１３  ケース本体
１４  液晶パネル
１５  光源であるバックライト
２３  見切り
３２  可撓性突起部
３５  電子機器である携帯電話
３７  電子機器であるノートパソコン
【図１】
0003593878.tif 000002
【図２】
0003593878.tif 000003
【図３】
0003593878.tif 000004
【図４】
0003593878.tif 000005
【図５】
0003593878.tif 000006
【図６】
0003593878.tif 000007
【図７】
0003593878.tif 000008